(57)【要約】      （修正有）【課題】化学防護服の生地の破損、化学防護服への液体の浸透及び股裂けを抑制しつつ、通気性、快適性及び作業時の操作性に優れる化学防護服を提供する。【解決手段】化学防護服１は、着用者の頭部、胴体部、腕部及び脚部を含む身体の全部又は大部分を覆う本体１０と、本体１０において着用者の肘部、膝部及び股部にそれぞれ対応する部位に縫合される補強材２０、２１、２３、２４と、補強材における縫合箇所２１ａ、２３ａ、２４ａを封止するシーリング材３０〜３４と、を具備する。【選択図】図１
0003234093.tif 000002
【実用新案登録請求の範囲】
【請求項１】
頭部、胴体部、腕部及び脚部を含む本体を具備する化学防護服であって、
前記化学防護服の着用者の肘部、膝部及び臀部にそれぞれ対応する部位に縫合される補強材と、
前記補強材における縫合箇所を封止するシーリング材と、
を具備することを特徴とする化学防護服。
【請求項２】
前記補強材は、前記本体と同じ材質の生地から構成されること、
を特徴とする請求項１に記載の化学防護服。
【請求項３】
前記本体及び前記補強材を構成する生地が、スパンボンド不織布とポリエチレンフィルムとの積層構造を有すること、
を特徴とする請求項２に記載の化学防護服。
【考案の詳細な説明】
【技術分野】
【０００１】
本考案は、化学防護服に関する。
【背景技術】
【０００２】
化学防護服は、人体に害をなす危険な液体や気体（あるいはエアロゾル）・粉末などの固体が人体に付着したり吸引したりするのを防ぐために着用される。かかる化学防護服の性能を表す防護レベルは、日本工業規格ＪＩＳＴ８１１５：２０１５「化学防護服」で規定されている。
【０００３】
通常、化学防護服は、ＪＩＳＴ８１１５：２０１５のタイプ４(スプレー防護用密閉服)、タイプ５(浮遊固体粉じん防護用密閉服)、タイプ６(ミスト防護用密閉服)の性能要求を満たすために、ポリプロピレン不織布にポリエチレンフィルムをラミネート加工することで得られた生地を縫合することで製造される。そして、縫合部の耐液体透過性能の向上の為、縫合部にシームテープが貼り付けられる。
【０００４】
例えば特許文献１（特許第３６８９８２０号公報）は、頭被覆部・胴体被覆部・腕被覆部・手を被覆する手袋・脚被覆部、足を被覆する靴が一体につながった、人体の全部を気密に被覆する化学防護服を開示している。
【先行技術文献】
【特許文献】
【０００５】
【特許文献１】特許第３６８９８２０号公報
【考案の概要】
【考案が解決しようとする課題】
【０００６】
ところで、化学防護服を着用して危険物質を取り扱う作業は、肘及び膝を接地して（すなわち匍匐して）行う環境が多い為、突起物等により生地が破損する可能性がある。また、危険物質との接触時間が長くなり、液体が浸透する可能性もある。臀部や股部については、脱着時に負荷がかかり裂けてしまう可能性が加わる。これらは、ＪＩＳＴ８１１５：２０１５で規定される化学防護服の性能要求を超えた条件で使用された場合に起こり得る。
【０００７】
これに対する対策として、化学防護服の生地の強度をあげることが考えられるものの、通気性、快適性、作業時の操作性、及び費用面に課題が残る。
【０００８】
そこで、本考案の目的は、化学防護服の生地の破損、化学防護服への液体の浸透及び股裂けを抑制しつつ、通気性、快適性及び作業時の操作性に優れる化学防護服を提供することにある。
【課題を解決するための手段】
【０００９】
上記の課題を解決すべく、本考案は、
頭部、胴体部、腕部及び脚部を含む本体を具備する化学防護服であって、
前記化学防護服の着用者の肘部、膝部及び臀部にそれぞれ対応する部位に縫合される補強材と、
前記補強材における縫合箇所を封止するシーリング材と、
を具備することを特徴とする化学防護服、を提供する。
【００１０】
本考案の化学防護服では、前記補強材は、前記本体と同じ材質の生地から構成されること、が好ましい。
【００１１】
また、本考案の化学防護服では、前記本体及び前記補強材を構成する生地が、スパンボンド不織布とポリエチレンフィルムとの積層構造を有すること、が好ましい。
【考案の効果】
【００１２】
本考案の化学防護服では、破損しやすい又は裂けやすい本体の部位が補強材により補強されるとともに、補強材の縫合箇所はシーリング材により封止されている。また、補強材は特定の部位のみに設けられ、本体全体として生地の厚みが増すことを抑制している。したがって、化学防護服の生地の破損、化学防護服への液体の浸透及び股裂けを抑制しつつ、通気性、快適性及び作業時の操作性に優れる化学防護服を提供することができる。
【図面の簡単な説明】
【００１３】
【図１】本実施形態に係る化学防護服１の前面図である。
【図２】化学防護服１の後面図である。
【図３】本体１０の生地の断面構造を示す図である。
【考案を実施するための形態】
【００１４】
以下、本考案に係る化学防護服の代表的な実施形態について、図面を参照しつつ詳細に説明する。ただし、本考案はこれら図面に限定されるものではない。また、図面は、本考案を概念的に説明するためのものであるから、理解容易のために、必要に応じて寸法、比又は数を誇張又は簡略化して表している場合もある。
【００１５】
本実施形態に係る化学防護服１は、日本工業規格ＪＩＳＴ８１１５：２０１５に規定する全身化学防護服であり、タイプ４〜６の化学防護服、すなわちスプレー防護用密閉服、浮遊固体粉じん防護用密閉服、ミスト防護用密閉服として好適にされる。ただし、本発明はこれらに限られない。
【００１６】
図１及び図２に示すように、化学防護服１は、主として本体１０、補強材２０及びシーリング材３０を含んでいる。化学防護服１は、手袋４１、シューズカバー４２、バイザー（アイピース）４３及び面体（フェイスピース）４４のうち少なくとも１つを更に含む組合せであってもよい。
【００１７】
以下、化学防護服１の構成要素を詳細に説明する。
本体１０は、少なくとも頭部、胴体部、腕部及び脚部を含み、これらにより化学防護服１の着用者の頭部、胴体部、腕部及び脚部を含む身体の全部又は大部分を覆うことができるものである。本体１０は更に着用者の手又は足を覆ってもよい。
【００１８】
本体１０の生地は、スパンボンド素材、とりわけポリプロピレンを原料とするスパンボンド素材で好適に作製される。図３に一例を示すように、本体１０の生地は、ポリプロピレンスパンボンド（ＳＦ）不織布を内層１０ｂとし、ポリエチレンフィルムを外層１０ａとする積層構造を有することが好ましい。外層１０ａはポリエチレンフィルムの積層体でもよい。なお、本体１０の生地は、静電気防止加工を施され、ＥＵ  ＥＮ１１４９−５等の規格に適合することが好ましい。
【００１９】
本体１０の前面には、ジッパー等のファスナー１１が取り付けられている。ここでは、ファスナー１１には引手が２個取り付けられ、上下どちらからでも本体１０を開閉できる。また、ファスナー１１からの化学物質の浸透を防ぐために、ファスナー１１を覆うフラップ１２が設けられている。
【００２０】
その他、本体１０の腰回りには、ゴム等の伸縮部材（図示せず）が縫い込まれており、生地のダブつきを抑え、作業の妨げになるのを防ぐ。また、手首と足首にゴム等の伸縮部材（図示せず）が縫い込まれ、本体１０の密閉度を高めている。更に、フードカバーの前面にもゴム等の伸縮部材（図示せず）が縫い込まれており、顔の周囲から危険物が進入するのを防ぐ。
【００２１】
次いで、補強材２０について説明する。ここで、補強材２０は、補強材２１〜２５の総称として用いられる。
【００２２】
補強材２１〜２５は、本体１０を突起物等による損傷から保護するべく、それぞれ本体１０において着用者の肘部、膝部及び臀部にそれぞれ対応する部位に縫合される生地である。但し、補強材２５については、臀部から股部までを含む部位に対応していてもよい。したがって、化学防護服１の肘部、膝部及び臀部では、本体１０と補強材２０とが重ね合わされている。かかる補強材２０は、製造コストの抑制の観点から、本体１０と同じ材質の生地で作製されることが好ましい。なお、臀部に位置する補強材２５には、化学防護服１の着脱時の股裂けを防止する役割をも有する。
【００２３】
シーリング材３０の説明に移ると、シーリング材３０はシーリング材３１〜３５の総称である。シーリング材３１〜３５は、化学防護服１の密閉度を高めるべく、補強材２１〜２５の縫合箇所２１ａ〜２５ａを覆う封止材料である。
【００２４】
シーリング材３０として、例えばシームテープが用いられてもよい。シームテープは、例えば、ポリエステル（１００％）などの樹脂材料から作製される。
【００２５】
化学防護服１の使用方法を説明する。
着用者は、化学防護服１のファスナー１１を開き、両足を本体１０の下半部に入れる。そして、着用者は、本体１０の腰ベルト（図示せず）を締めて、本体１０の下半部を自己の身体に固定する。次いで、着用者は、自己の上半身に本体１０の上半部をまとい、最後にファスナー１１を閉じて、着用を完了する。
【００２６】
作業時には、着用者は、肘及び膝を接地して（すなわち匍匐して）、危険物質等を取り扱う。作業の一例としては剥離剤塗布やかき落とし施工が挙げられる。かかる作業の際、肘部及び膝部に位置する補強材２１〜２４が突起物等により先に破損することで、本体１０における肘部及び膝部の生地を破損から守ることができる。また、股部に位置する補強材２５により、本体１０の股部の強度を向上させて、脱着時の引張等の負荷による本体１０の股部の破損を防いでいる。
【００２７】
加えて、シーリング材３０により、補強材２０からの液体の浸透を防ぐ事が可能となり、バリア性能の向上が図られる。
【００２８】
このように特に破損の懸念がある箇所のみを補強する事により、化学防護服１全体の通気性、快適性及び操作性を損なう事なく、上記懸念の改善を図る事が出来る。また、費用面においても、本体１０の生地全体の強度をあげるよりも費用が少なく済む。
【００２９】
その他、本体１０及び補強材２０の生地としてＳＦ素材を採用することで、化学防護服１はスプレー防護性能を有する。
【００３０】
以上、本考案の代表的な実施形態について説明したが、本考案はこれらに限定されるものではなく、種々の設計変更が可能であり、それらも本考案に含まれる。
【符号の説明】
【００３１】
１  化学防護服
１０  本体
２０〜２５  補強材
２１ａ〜２５ａ  縫合箇所
３０〜３５  シーリング材
【図１】
0003234093.tif 000003
【図２】
0003234093.tif 000004
【図３】
0003234093.tif 000005